(57)【特許請求の範囲】
【請求項１】
自無線制御装置の近傍に存在する移動電話機を収容し、前記収容した移動電話機が携帯電話網または無線ＬＡＮを介して通話することを禁止する無線制御装置であって、
前記携帯電話網または無線ＬＡＮの通信エリアに存在する移動電話機に係る交換処理または呼制御処理を実行する呼制御装置と所定のアクセス回線を介して接続する呼制御装置接続手段と、
自無線制御装置の近傍に存在する移動電話機から位置登録要求コマンドまたは帰属要求コマンドを受信した場合に当該コマンドに含まれる当該移動電話機を識別する識別情報を抽出する識別情報抽出手段と、
前記抽出した識別情報を前記呼制御装置に通知して当該移動電話機を自無線制御装置に帰属させる処理を前記呼制御装置に実行させる移動電話機帰属手段と、
前記移動電話機帰属手段によって帰属させた移動電話機が通話中か否かを判定する通話中判定手段と、
前記帰属させた移動電話機が通話中であった場合に、前記移動電話機へ通話禁止エリアである旨の音声メッセージを通知するメッセージ通知手段と、を有する
ことを特徴とする通話禁止エリア生成機能を有する無線制御装置。
【請求項２】
請求項１に記載の無線制御装置において、
前記通話禁止エリアである旨の音声メッセージを通知した場合に、前記呼制御装置と前記移動電話機の両方に切断信号を送出して切断処理を実行する通話切断手段と、を有する
ことを特徴とする通話禁止エリア生成機能を有する無線制御装置。
【発明の詳細な説明】
【技術分野】
【０００１】
本発明は、現金自動預払機（以下、ＡＴＭと呼称）等の自動取引装置の近傍において、携帯電話の通信を抑止する無線制御装置の技術に関する。
【背景技術】
【０００２】
近年、携帯電話を用いて現金の引き出しや預け入れを行うＡＴＭ（Ａｕｔｏｍａｔｉｃ  Ｔｅｌｌｅｒ  Ｍａｃｈｉｎｅ）を利用した振込め詐欺が社会問題となっている。振込め詐欺とは、近親者の情愛につけ込み、不正な金銭を振り込ませるきわめて卑劣な犯罪である。特にＡＴＭの設置場所において、移動電話機を利用し振込み先を誘導して被害者に不正の振込みをさせる振込詐欺が増加している。
【０００３】
このような振込め詐欺を防止するための対策の一つとして、例えば、特許文献１のような技術がある。特許文献１にはＡＴＭの設置場所に一定の範囲に妨害電波を発信する通信装置を設置し、ＡＴＭの操作をしながら、移動電話機の利用を抑止する技術が展開されている。
【先行技術文献】
【特許文献】
【０００４】
【特許文献１】特開２００５−４５８３９号公報
【発明の概要】
【発明が解決しようとする課題】
【０００５】
しかしながら特許文献１の技術では、対象の移動電話機が使用する電波の周波数帯の通信そのものを妨害するので、当該移動電話機を使用している利用者は何故通信が不可能なのかが分からず、その場で何度も発信操作を繰り返す可能性がある。
【０００６】
本発明は上記課題に鑑みなされたものであって、本発明の目的は、ＡＴＭの近傍の一定範囲内の移動電話機による通話を遮断すると共に、当該通話を遮断された移動電話機に対して、通話を遮断した理由等を通知できる技術を提供することにある。
【課題を解決するための手段】
【０００７】
上記課題を解決するため、自無線制御装置の近傍に存在する移動電話機を収容し、前記収容した移動電話機が携帯電話網または無線ＬＡＮを介して通話することを禁止する無線制御装置であって、前記携帯電話網または無線ＬＡＮの通信エリアに存在する移動電話機に係る交換処理または呼制御処理を実行する呼制御装置と所定のアクセス回線を介して接続する呼制御装置接続手段と、自無線制御装置の近傍に存在する移動電話機から位置登録要求コマンドまたは帰属要求コマンドを受信した場合に当該コマンドに含まれる当該移動電話機を識別する識別情報を抽出する識別情報抽出手段と、前記抽出した識別情報を前記呼制御装置に通知して当該移動電話機を自無線制御装置に帰属させる処理を前記呼制御装置に実行させる移動電話機帰属手段と、前記移動電話機帰属手段によって帰属させた移動電話機が通話中か否かを判定する通話中判定手段と、前記帰属させた移動電話機が通話中であった場合に、前記移動電話機へ通話禁止エリアである旨の音声メッセージを通知するメッセージ通知手段と、を有することを特徴とする。
【発明の効果】
【０００８】
本発明に拠れば、ＡＴＭの近傍に本発明対象のフェムトセルを設置することで、ＡＴＭの近傍の一定範囲のみの通話を遮断することができ、通話を遮断した理由等を通知することができる。
【図面の簡単な説明】
【０００９】
【図１】本発明の一実施の形態における全体構成図である。
【図２】携帯電話が通話中にフェムトセルを介して位置登録処理し、当該携帯電話が発信または着信した場合の動作シーケンスである。
【図３】図１のフェムトセルの機能ブロック図である。
【図４】図１のフェムトセルの動作フロー図である。
【発明を実施するための形態】
【００１０】
以下、本発明の一実施の形態について図面を参照しながら説明する。尚、実質同一部位には、同じ参照番号を振り、説明は繰り返さない。
【００１１】
図１は、本発明の一実施の形態における全体構成図である。
【００１２】
本発明の全体構成図は、本発明の対象であるフェムトセル１００と、携帯電話２００、移動通信交換局３００、無線基地局４００、ＡＴＭ５００、ルータ６００とから構成される。
【００１３】
フェムトセル１００は、ルータ６００に接続し、インターネット２０および携帯電話網３０を介して移動通信交換局３００に接続する。
【００１４】
フェムトセル１００は、ＡＴＭ５００近傍の通信エリア１０内に存在する携帯電話２００からの位置登録要求を受信すると、移動通信交換局３００に当該携帯電話２００の位置登録処理を行う。
【００１５】
また、ここでフェムトセルとは、インターネット等のＩＰ回線を介して、携帯電話網に接続する携帯電話基地局であり、各電話事業者が提供する従来の携帯電話基地局と比べて通信範囲がきわめて小さな通話エリア（半径数ｍ程度）で利用される小型基地局のことを意味する。また、本実施例で説明するフェムトセル１００は、ＡＴＭ５００の近傍に設置され、その通話エリアはＡＴＭ５００の近傍のみ（半径２〜３ｍ以内）を想定している。
【００１６】
また、ここで位置登録処理とは、移動電話機が自端末がどの無線基地局（エリア）にいるのかを移動通信交換局にたいして行う処理であり、これにより、移動電話機宛の呼の呼出しが可能となる。
【００１７】
フェムトセル１００は、移動通信交換局３００に登録された携帯電話２００からの発信信号または移動通信交換局３００から当該携帯電話２００宛の着信信号を受付けると、信号の中継を行わない。また、フェムトセル１００は、携帯電話２００が通話中に位置登録要求を送信してきた場合（ハンドオーバしてきた場合）、位置登録処理にかかる信号の中継は行うが、携帯電話２００からの音声信号および携帯電話網３０を介して図示しない通信相手からの音声信号の中継を行わない。詳細な動作については図２以降の各図面を用いて説明する。
【００１８】
携帯電話２００は、無線基地局４００またはフェムトセル１００を介して移動通信交換局３００に位置登録を行う移動型電話機である。また、携帯電話２００は一般の移動電話機と同様に位置登録を行う際、フェムトセル１００または無線基地局４００から定期的に送られてくる位置登録必要なエリア情報を含む報知情報（以下、ビーコンと呼称）の電波強度を監視し、電波強度に応じて位置登録要求を送信する。
【００１９】
移動通信交換局３００は、ＨＬＲ（Ｈｏｍｅ  Ｌｏｃａｔｉｏｎ  Ｒｅｇｉｓｔｅｒ）および加入者交換機、無線ネットワーク制御装置の各機能を具備する交換局であり、携帯電話網３０内の移動通信サービスを提供するための呼接続制御全般を行う。
【００２０】
無線基地局４００は、携帯電話網３０を介して移動通信交換局３００と接続する無線基地局であり、フェムトセル１００の通信エリア１０以外のエリアの携帯電話２００からの位置登録要求に応じて移動通信交換局３００に位置登録処理を行う。また、無線基地局４００は、、移動通信交換局３００に登録された携帯電話２００からの発信信号または移動通信交換局３００からの着信信号に応じた呼接続情報を移動通信交換局３００に中継する。
【００２１】
ＡＴＭ５００は、銀行内に設置されたＡＴＭであり、ルータ６００を介してインターネット２０上の図示しないＡＴＭ管理システムに接続し、現金の引き出しや預け入れを行う。
【００２２】
ルータ６００は、ＡＴＭ５００およびフェムトセル１００と接続し、インターネット２０との通信を制御する。
【００２３】
次にフェムトセル１００の各機能について機能ブロック図を用いて説明する。
【００２４】
図２は、携帯電話２００が通話中にフェムトセル１００を介して位置登録処理する場合の動作シーケンス、および当該携帯電話２００が帰属後に発信または当該携帯電話２００宛の着信を検出した場合の動作シーケンスである。
【００２５】
携帯電話２００は、予め無線基地局４００に帰属し、移動通信交換局３００を介して図示しない通話相手と通話していたものとする（Ｓ２０１）。
【００２６】
ここで帰属とは携帯電話２００がフェムトセル１００または無線基地局４００の介して移動通信交換局３００に位置登録処理を行い、携帯電話２００がフェムトセル１００または無線基地局４００を介して発着信および通話の制御が可能な状態のことを意味する。
【００２７】
フェムトセル１００および無線基地局４００は、従来の無線基地局と同様に定期的にビーコンを送信しているものとする（Ｓ２０２）。
【００２８】
携帯電話２００のユーザがＡＴＭ５００に近付くと、携帯電話２００はフェムトセル１００および無線基地局４００から受信したビーコンの受信電波強度が、フェムトセル１００から受信したビーコンの方が大きくなる。すると、携帯電話２００はフェムトセル１００の通信エリア１０に入ったと判定し（Ｓ２０３）、自携帯電話２００のＩＤ情報を含む位置登録要求をフェムトセル１００に送信する（Ｓ２０４）。
【００２９】
位置登録要求を受信したフェムトセル１００は、受信した位置登録要求から携帯電話２００のＩＤ情報および自フェムトセルの基地局情報を識別情報としてを移動通信交換局３００に送信する（Ｓ２０５）。
【００３０】
そして識別情報を受信した移動通信交換局３００は、携帯電話２００と位置登録処理を行う（Ｓ２０６）。
【００３１】
尚、ここで携帯電話２００のＩＤ情報とは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＥＳＮ（Ｅｌｅｃｔｒｉｃ  Ｓｅｒｉａｌ  Ｎｕｍｂｅｒ）、ＭＩＮ（Ｍｏｂｉｌｅ  Ｉｄｅｎｔｉｆｉｃａｔｉｏｎ  Ｎｕｍｂｅｒ）等の携帯電話２００固有のＩＤ情報である。
【００３２】
位置登録処理が完了すると、移動通信交換局３００は携帯電話２００に登録完了通知を送信する（Ｓ２０７）。
【００３３】
フェムトセル１００は、携帯電話２００宛の登録完了通知を検知すると（Ｓ２０８）、携帯電話２００の端末情報を記憶し、以降携帯電話２００から送信された発信信号、音声信号および携帯電話２００宛に送られてきた着信信号の中継を停止する（Ｓ２０９）。
【００３４】
ここで、通話中の携帯電話２００からフェムトセル１００に対し音声信号が送出されたとする（Ｓ２１０）。音声信号を受け取ったフェムトセル１００は、受け取った音声信号を中継せずに破棄する。
【００３５】
また、フェムトセル１００は、携帯電話２００に対し当該通話を利用して「振込先の通話相手を再度ご確認ください。詐欺の可能性があります」の旨の音声アラームを送出する（Ｓ２１１）。
【００３６】
また、フェムトセル１００は、携帯電話２００の代わりに移動通信交換局３００（通話相手）に対して移動通信交換局側切断処理（以下、フェムトセル１００が移動通信交換局３００（通話相手）に対して行う切断処理を移動通信交換局側切断処理と呼称）を行う（Ｓ２１２）。
【００３７】
尚、ここで移動通信交換局側切断処理とは、従来、携帯電話２００が動通信交換局３００に切断信号を送信して通話を切断する切断処理と同じである。
【００３８】
そして、フェムトセル１００は、ステップ１１１で音声アラームを送出すると同様に携帯電話２００に対しても切断信号を送信し、携帯電話側切断処理（以下、フェムトセル１００が携帯電話２００に対して行う切断処理を携帯電話側切断処理と呼称）を行う（Ｓ２１３）。
【００３９】
尚、ここで携帯電話側切断処理とは、従来、動通信交換局３００が携帯電話に終話信号を送信して通話を終話する終話処理と同じである。
【００４０】
次に、フェムトセル１００に帰属中の携帯電話２００のユーザが所定の通話相手に対する発信操作を行ったとする（Ｓ２１４）。すると、携帯電話２００はフェムトセル１００に対し発信信号を送信する（Ｓ２１５）。発信信号を受信したフェムトセル１００は受け取った発信信号を中継せずに破棄する。
【００４１】
また、フェムトセル１００は、携帯電話２００に対して疑似呼接続処理（以下、フェムトセル１００が携帯電話２００からの発信信号に対して疑似的に呼接続して通話を確立することを疑似呼接続処理と呼称）を行い、携帯電話２００と通話を確立する（Ｓ２１６）。
【００４２】
また、フェムトセル１００は、携帯電話２００に対して当該通話を利用して音声アラームを送出する（Ｓ２１７）。
【００４３】
そして、フェムトセル１００は、音声アラームを送出すると携帯電話２００に対して携帯電話側切断処理を行う（Ｓ２１８）。
【００４４】
次に、移動通信交換局３００を介して図示しない通話相手からフェムトセル１００に帰属中の携帯電話２００に着信があったとする（Ｓ２１９）。
【００４５】
フェムトセル１００は、移動通信交換局３００から着信信号を受信すると、移動通信交換局側切断処理を実行する（Ｓ２２０）。
【００４６】
図３は、図１のフェムトセル１００の機能ブロック図である。
【００４７】
フェムトセル１００は、ネットワーク通信部１０１、無線通信部１０２、無線データ中継部１０３、位置登録完了検知部１０４、信号中継停止指示部１０５、中継制御部１０６、着信信号検出部１０８、発信信号／音声信号検出部１０９、疑似呼接続・切断制御部１１０、切断制御部１１１、音声アラーム送出部１１２、とから構成される。
【００４８】
ネットワーク通信部１０１は、ルータ６００に接続するための通信インターフェースであって、インターネット２０および携帯電話網３０を介して移動通信交換局３００と通信するための処理全般を行う。
【００４９】
無線通信部１０２は、携帯電話２００と無線接続するための通信インターフェースであって、携帯電話２００と接続して無線通信処理全般を行う。
【００５０】
無線データ中継部１０３は、移動通信交換局３００にアクセスして無線基地局（フェムトセル）の処理全般を行う。
【００５１】
位置登録完了検知部１０４は、無線データ中継部１０３の動作を監視し、携帯電話２００の位置登録処理の完了を検知すると、検知したことを中継制御部１０６に通知する。
【００５２】
具体的にはデータ中継部１０３を監視し、携帯電話２００の位置登録処理が完了し、移動通信交換局３００から登録完了通知を検知すると位置登録要求を送信した携帯電話２００のＩＤ情報を取得し、取得した携帯電話２００のＩＤ情報とともに位置登録処理が完了したことを通知する。
【００５３】
信号中継停止指示部１０５は、中継制御部１０６から携帯電話２００のＩＤ情報とともに位置登録処理の完了の通知を受けると、無線データ中継部１０３に対し、当該携帯電話２００の信号中継処理の停止を指示する。
【００５４】
具体的には、信号中継停止指示部１０５は無線データ中継部１０３上を中継する携帯電話２００からの発信信号、図示しない通信相手から携帯電話２００宛への着信信号、または、携帯電話２００が通話中にハンドオーバしてきた場合の音声信号を監視し、当該信号を検出すると無線データ中継部１０３に強制的に当該信号を破棄させる。
【００５５】
中継制御部１０６は、位置登録完了検知部１０４から携帯電話２００のＩＤ情報とともに位置登録処理が完了したことの通知を受けると、信号中継停止指示部１０５に携帯電話２００のＩＤ情報とともに信号中継停止の指示を行う。
【００５６】
中継制御部１０６は、位置登録完了検知部１０４、着信信号検出部１０８、発信信号／音声信号検出部１０９から通知されるデータに応じて、疑似呼接続・切断制御部１１０、切断制御部１１１、音声アラーム送出部１１２、信号中継停止指示部１０５のいずれかの機能ブロックを選択し、選択した機能ブロックと連動して所定の処理を実行する。
【００５７】
着信信号検出部１０８は、ネットワーク通信部１０１を監視し、位置登録完了検知部１０４が検知した携帯電話２００宛に着信があったかどうかを判定し、携帯電話２００宛に着信があった場合に中継制御部１０６に通知する。
【００５８】
発信信号／音声信号検出部１０９は、無線通信部１０２を監視し、位置登録完了検知部１０４が検知した携帯電話２００が発信信号または音声信号を送出したか否か（携帯電話２００が発信したかまたはハンドオーバしたか）を判定し、携帯電話２００から発信信号または音声信号の送出を検出すると中継制御部１０６に通知する。
【００５９】
疑似呼接続・切断制御部１１０は、中継制御部１０６からの指示に応じて、自フェムトセル１００に帰属した携帯電話２００と疑似的に呼接続して通話を確立する。また、疑似呼接続・切断制御部１１０は、中継制御部１０６からの指示に応じて、携帯電話２００と通話中の呼を携帯電話側切断処理してを通話を終了する。尚、この時、データ中継部１０３は信号中継停止指示部１０５の指示によって信号中継を停止されているので、呼制御信号は移動通信交換局３００を介して通話相手には送信されない。
【００６０】
切断制御部１１１は、中継制御部１０６からの指示に応じて、移動通信交換局３００を介して図示しない通話相手と移動通信交換局側切断処理を行う。
【００６１】
具体的には着信信号検出部１０８が検知した携帯電話２００宛の着信を検知すると、移動通信交換局３００に対して切断信号を送信して移動通信交換局側切断処理を行う。
【００６２】
また、発信信号／音声信号検出部１０９がハンドオーバしてきた携帯電話２００の音声信号を検出し、音声アラーム送出部１１２から携帯電話２００宛に警告メッセージを送出されると、移動通信交換局３００に対して切断信号を送信して移動通信交換局側切断処理を行う。
【００６３】
音声アラーム送出部１１２は、中継制御部１０６の指示に応じて、通話中の携帯電話２００宛に音声アラームを送出する。
【００６４】
具体的には、発信信号／音声信号検出部１０９がハンドオーバしてきた携帯電話２００から音声信号を検出すると、詐欺の可能性がある旨の音声アラームを送出する。または、発信信号／音声信号検出部１０９が携帯電話２００から発信信号を検出すると、疑似呼接続・切断制御部１１０が疑似的に当該携帯電話２００と呼接続して通話を確立し、音声アラームを送出する。
【００６５】
次にフローチャートを用いて、フェムトセル１００の動作について説明する。
【００６６】
図４は、フェムトセル１００の動作フローである。本フローは携帯電話２００が移動通信交換局３００と接続し、携帯電話２００との通信が可能な状態から開始する。
【００６７】
また、本フローでは説明を割愛するが、図２のシーケンスと同様に、フェムトセル１００は定期的に自フェムトセルの識別情報を含むビーコンを送出している。
【００６８】
本フローを開始するとフェムトセル１００は、帰属していない携帯電話２００からの位置登録要求を受信（Ｓ４０１）または帰属中の携帯電話２００からの音声信号の検出（Ｓ４０４）、帰属中の携帯電話２００からの発信信号の検出（Ｓ４０７）、移動通信交換局３００（通話相手）から帰属中の携帯電話２００宛への着信信号の検出（Ｓ４１１）のいづれかを待つ。
【００６９】
帰属していない携帯電話２００からの位置登録要求を受信した場合（Ｓ４０１、Ｙｅｓ）、フェムトセル１００は、移動通信交換局３００と当該携帯電話２００との位置登録処理を中継する（Ｓ４０２）。そして、フェムトセル１００は、当該携帯電話２００からの発信信号および音声信号、当該携帯電話２００宛の着信信号の信号中継を停止し（Ｓ４０３）、ステップ４０４に移行する。
【００７０】
帰属中の携帯電話２００からの音声信号の検出した場合（Ｓ４０４、Ｙｅｓ）、フェムトセル１００は当該携帯電話２００に音声アラームを送出して（Ｓ４０５）、移動通信交換局側切断処理を行う（Ｓ４０６）。さらに、音声アラームの送出が完了すると、携帯電話側切断処理を行い（Ｓ４１０）、ステップ４１１に移行する。
【００７１】
帰属中の携帯電話２００からの発信信号の検出した場合（Ｓ４０７，Ｙｅｓ）、フェムトセル１００は当該発信信号に対して疑似呼接続処理を行い通話を確立する（Ｓ４０８）。そして、フェムトセル１００は当該携帯電話２００に音声アラームを送出して（Ｓ４０９）音声アラームの送出が完了すると、当該通話の携帯電話側切断処理を行い（Ｓ４１０）、ステップ４１１に移行する。
【００７２】
移動通信交換局３００（通話相手）から帰属中の携帯電話２００宛への着信信号の検出した場合（Ｓ４１１、Ｙｅｓ）、フェムトセル１００は当該着信信号に対するの移動通信交換局側切断処理を行い（Ｓ４１２）、ステップ４０１に戻る。
【００７３】
以上、本発明の実施の形態について説明した。
【００７４】
本発明の実施の形態によれば、フェムトセル１００は、位置登録完了検知部１０４が位置登録処理の完了を検知すると、信号中継停止指示部１０５と連動して以降の携帯電話２００から送られる信号の中継を停止する。
【００７５】
これにより、携帯電話２００はＡＴＭ５００近傍に移動すると通信または通話が遮断され、ＡＴＭの近傍の一定範囲の通話のみを遮断することができる。
【００７６】
また、本発明の実施の形態によれば、フェムトセル１００の切断制御部１１１は、帰属した携帯電話２００宛に着信または当該携帯電話２００が通話中に帰属した場合に（ハンドオーバしてきた場合）、移動通信交換局３００（通話相手）に対して移動通信交換局側切断処理を実行する。また、疑似呼接続・切断制御部１１０は、帰属した携帯電話２００が通話中であった場合に携帯電話側切断処理を実行する。
【００７７】
これにより、移動通信交換局３００および携帯電話２００は信号中継を停止することによる制御エラーを回避できる。
【００７８】
また、本発明の実施の形態によれば、フェムトセル１００の音声アラーム送出部１１２は発信信号／音声信号検知部１０９が発信信号を検知するまたは疑似呼接続・切断制御部１１０が携帯電話２００と疑似的に呼接続して通話を確立すると音声アラームを送出する。
【００７９】
これにより、信号中継を停止された携帯電話２００のユーザに対して、なぜ通話ができなくなったのかを知らせることができる。
【００８０】
尚、本実施例では音声アラームを携帯電話２００に通知する説明をおこなったが、本願はこれに限定しない。音声アラームせずに通話中の呼を保留し、銀行内の所定の行員の内線電話機に転送するようにしてもよい。これにより、転送された行員が直接通話相手が詐欺者でないことを確認することで、詐欺から携帯電話２００のユーザを保護する事ができる。
【００８１】
尚、本実施例では、ＡＴＭ５００とフェムトセル１００は１対１で設置される実施例の展開をしたが本願はこれに限定しない。例えば、通信エリア１０が数ｍのフェムトセルであって、携帯電話２００の電波の到来方向を識別し、電波の到来方向毎にＡＴＭ５００を設置する。そして、ＡＴＭ５００からカード挿入の検知すると携帯電話２００からの電波の到来方向に応じて通話切断処理を実行するようにしてもよい。これにより１台のフェムトセル１００で複数のＡＴＭ５００をカバーすることができる。
【００８２】
尚、本実施例では、携帯電話２００側のみに音声アラームを通知する説明をおこなったが、本願はこれに限定しない。例えば、通話相手に対して「こちら○○銀行です。現在この通話は通話禁止エリアにいるためおつなぎ出来ません。お時間を空けて改めてお電話ください。」などの通話相手に通話禁止エリアであること旨のアラームを送出するようにしてもよい。これにより、信号中継を停止された通話相手に対しても、なぜ通話ができなくなったのかを知らせることができる。また、「この通話は振込め詐欺の可能性があるためお客様の通話位置を特定・通話内容を録音させて頂きます。予めご了承ください。」など、通話相手を威嚇するアラームを送信するようにしてもよい。これにより、通話相手が犯罪者であった場合に振込め犯罪を抑止する効果がある。
【００８３】
尚、本実施例では、音声アラームを送出するために呼接続中の通話音声を利用しているが本願はこれに限定しない。例えば、ダイヤルトーン（ＤＴ）や呼出時のリングバックトーン（ＲＢＴ）、ビジートーン（ＢＴ）等の従来からフェムトセルから携帯電話に送出する音信号をつかって音声アラームを送信するようにしてもよい。これにより、疑似呼接続・切断制御部１１０が不要となり、このブロックによる処理負荷ならびにこのブロックを実現した場合の部品数を減らすことができる。
【００８４】
尚、本実施例では、音声アラームを例に示すが本願はこれに限定しない。携帯電話のメール機能を用いてアラームメールを通知するようにしてもよい。さらに、携帯電話自身がフェムトセル１００に帰属した事を識別し、帰属した場合にアラームを表示するようにしてもよい。これにより、アラーム送出部１１２が不要となり、このブロックによる処理負荷ならびにこのブロックを実現した場合の部品数を減らすことができる。
【００８５】
尚、本実施例では、着信信号検出部１０８または発信信号／音声信号検出部１０９が発信信号・着信信号・音声信号のいずれかを検知した場合に信号中継停止部１０５は、当該信号の中継を停止する説明をしたが本願はこれに限定しない。音声信号のみを検知し、当該信号のみを停止するようにしてもよい。音声信号検出のブロック以外のブロックが不要となり、このブロックによる処理負荷ならびにこのブロックを実現した場合の部品数を減らすことができる。
【符号の説明】
【００８６】
１０  通信エリア
２０  インターネット
３０  携帯電話網
１００  フェムトセル
１０１  ネットワーク通信部
１０２  無線通信部
１０３  データ中継部
１０４  位置登録完了検知部
１０５  信号中継停止指示部
１０６  中継制御部
１０８  着信信号検出部
１０９  発信信号／音声信号検出部
１１０  疑似呼接続・切断制御部
１１１  切断制御部
１１２  音声アラーム送出部
２００  携帯電話
３００  移動通信交換局
４００  無線基地局
５００  ＡＴＭ
６００  ルータ
【図１】
0005589816.tif 000002
【図２】
0005589816.tif 000003
【図３】
0005589816.tif 000004
【図４】
0005589816.tif 000005